(57)【特許請求の範囲】
【請求項１】
湾曲した形状を有する表示領域を有する表示部と、
前記表示部に設けられた入力操作部と、
前記表示領域のうち、ユーザが前記入力操作部により指定した指定位置を検出する位置検出部と、
表示装置に対する重力加速度方向を検出する重力加速度検知手段と、
前記表示領域のうち、前記重力加速度検知手段により検出された前記重力加速度方向及び前記位置検出部により検出された前記指定位置に基づいて特定された特定の範囲に情報を表示するよう前記表示部を制御するとともに、前記特定の範囲以外の前記表示領域に情報を表示しないよう前記表示部を制御する表示制御部と、
を備えることを特徴とする表示装置。
【請求項２】
前記表示装置に対する重力加速度方向を基準にして前記特定の範囲を規定するパラメータを算出するパラメータ算出部と、
をさらに備えることを特徴とする請求項１に記載の表示装置。
【請求項３】
前記重力加速度検知手段は、３軸方向の加速度を検出するセンサ部を備えることを特徴とする請求項１又は２に記載の表示装置。
【請求項４】
前記表示制御部は、前記センサ部により検出された加速度データに基づいて、前記表示装置の回転の有無を検知し、前記表示装置の回転を検知した場合には、前記センサ部により検出された加速度データに基づいて加速度方向を再度算出し、算出された前記重力加速度方向を基準にして、前記パラメータを用いて前記特定の範囲を再度設定することを特徴とする請求項３に記載の表示装置。
【請求項５】
前記表示装置は、前記ユーザの人体に装着されるウェアラブル端末に搭載され、
前記センサ部は、前記ユーザの動作状態を検出するモーションセンサを有し、
前記表示制御部は、前記モーションセンサにより検出された前記ユーザの動作状態に基づいて、前記特定の範囲の設定、及び、前記表示領域における前記情報の表示、非表示を制御することを特徴とする請求項３又は４に記載の表示装置。
【請求項６】
前記表示制御部は、
前記位置検出部により検出された前記指定位置を、前記ユーザが目視しているユーザ目視方向とし、
前記特定の範囲は、前記表示領域のうち、前記指定位置に基づいてユーザが目視可能であると推定される範囲であることを特徴とする請求項１乃至５のいずれか一項に記載の表示装置。
【請求項７】
湾曲した形状を有する表示領域を有する表示部と、前記表示部に設けられた入力操作部と、を備えた表示装置の情報表示方法であって、
前記表示領域のうち、ユーザが前記入力操作部により指定した指定位置を検出し、
前記表示装置に対する重力加速度方向を検出し、
前記表示領域のうち、前記検出された前記重力加速度方向及び前記検出された前記指定位置に基づいて特定された範囲に情報を表示するよう前記表示部を制御するとともに、前記特定の範囲以外の前記表示領域に情報を表示しないよう前記表示部を制御する、
ことを特徴とする情報表示方法。
【請求項８】
湾曲した形状を有する表示領域を有する表示部と、前記表示部に設けられた入力操作部と、を備えた表示装置の情報表示プログラムであって、
コンピュータに、
前記表示領域のうち、ユーザが前記入力操作部により指定した指定位置を検出させ、
前記表示装置に対する重力加速度方向を検出させ、前記表示領域のうち、前記検出された前記重力加速度方向及び前記検出された前記指定位置に基づいて特定された範囲に情報を表示するよう前記表示部を制御させるとともに、前記特定の範囲以外の前記表示領域に情報を表示しないよう前記表示部を制御させる、
ことを特徴とする情報表示プログラム。
【発明の詳細な説明】
【技術分野】
【０００１】
本発明は、人体に装着して使用する、いわゆるウェアラブル端末に適用することができる表示装置及び情報表示方法、情報表示プログラムに関する。
【背景技術】
【０００２】
近年、人体に装着して運動時や日常生活における各種の生体情報や物理情報を取得したり、有益な情報を提供したりすることができるウェアラブル端末の開発や製品化が盛んに行われている。例えば特許文献１には、腕時計型の外観を有し、利用者の手首に装着して心拍数や移動速度を検出し、それに基づく各種の情報を通知手段や表示部を介して通知する有酸素運動維持装置が開示されている。
【０００３】
このようなウェアラブル端末は、手首や腕等の人体の部位に直接装着して使用されるため、薄型軽量であって、かつ、装着する部位に応じた曲率を有する形状を備えていることが好ましい。例えば特許文献２には、リストバンド型（又は、ブレスレット型）の外観を有し、装着する手首や腕の形状に応じて湾曲して設けられた表示パネルを介して、時刻や計時情報等の各種の情報を提供する携帯機器が開示されている。
【先行技術文献】
【特許文献】
【０００４】
【特許文献１】特開２００７−０７５２０１号公報
【特許文献２】特開２００７−０７８６７０号公報
【発明の概要】
【発明が解決しようとする課題】
【０００５】
上述したようなリストバンド型のウェアラブル端末においては、表示パネルの表示領域が広い場合には多くの情報を表示することができるが、表示パネルが湾曲して設けられているため、表示領域全体を一方向から一度に見ることができない。すなわち、ユーザの視界の範囲内にある表示領域に表示された情報は良好に視認されるが、視界の範囲外の表示領域に表示された情報は視認することができない。そのため、手首や腕に装着したリストバンド型のウェアラブル端末において、手首や腕の周囲に沿って湾曲して設けられた表示パネルの表示領域全体に情報を常時表示する仕様の場合、消費電力が多くなるばかりではなく、上記のように、ユーザの視界の範囲外の表示領域に表示された情報は、ユーザに視認されないため、情報の表示自体が無駄になるという問題を有している。
【０００６】
そこで、本発明の目的は、上述した問題点に鑑み、ユーザの視界に対応して、湾曲した形状を有する表示パネルに情報を無駄なく表示することができるとともに、当該表示動作に要する消費電力を抑制することができる表示装置及び情報表示方法、情報表示プログラムを提供することを目的とする。
【課題を解決するための手段】
【０００７】
本発明に係る表示装置は、
湾曲した形状を有する表示領域を有する表示部と、
前記表示部に設けられた入力操作部と、
前記表示領域のうち、ユーザが前記入力操作部により指定した指定位置を検出する位置検出部と、
表示装置に対する重力加速度方向を検出する重力加速度検知手段と、
前記表示領域のうち、前記重力加速度検知手段により検出された前記重力加速度方向及び前記位置検出部により検出された前記指定位置に基づいて特定された特定の範囲に情報を表示するよう前記表示部を制御するとともに、前記特定の範囲以外の前記表示領域に情報を表示しないよう前記表示部を制御する表示制御部と、
を備えることを特徴とする。
【発明の効果】
【００１０】
本発明によれば、ユーザの視界に対応して、湾曲した形状を有する表示パネルに情報を無駄なく表示することができるとともに、当該表示動作に要する消費電力を抑制することができる。
【図面の簡単な説明】
【００１１】
【図１】本発明に係る表示装置の一実施形態を示す概略構成図である。
【図２】一実施形態に係る表示装置の、人体への装着例を示す概略図である。
【図３】一実施形態に係る表示装置における機能構成を示す概略ブロック図である。
【図４】一実施形態に係る情報表示方法に適用される表示装置の座標系とその座標変換を説明するための概略図である。
【図５】一実施形態に係る表示装置における情報表示方法に適用されるユーザ目視方向設定処理、及び、画面表示範囲設定処理の一例を示すフローチャートである。
【図６】一実施形態に係る情報表示方法に適用されるユーザ目視方向設定処理を説明するための概略図
【図７】一実施形態に係る情報表示方法における画面表示範囲設定処理を説明するための概略図である。
【図８】一実施形態に係る表示装置における情報表示方法に適用される画面表示範囲変更処理の一例を示すフローチャートである。
【図９】一実施形態に係る情報表示方法における画面表示範囲変更処理を説明するための概略図である。
【発明を実施するための形態】
【００１２】
以下、本発明に係る表示装置及び情報表示方法、情報表示プログラムについて、実施形態を示して詳しく説明する。
＜表示装置＞
図１は、本発明に係る表示装置の一実施形態を示す概略構成図である。ここで、図１（ａ）は、本実施形態に係る表示装置の外観構成を示す概略斜視図であり、図１（ｂ）は、図１（ａ）に示した表示装置を矢印Ｄ１方向から見た正面図であり、図１（ｃ）は、図１（ｂ）に示した表示装置における側面方向の、ＩＣ−ＩＣ断面（本明細書においては図１（ｂ）中に示したローマ数字の「１」に対応する記号として便宜的に「Ｉ」を用いる。）の構造を示す概略図である。図２は、本実施形態に係る表示装置の、人体への装着例を示す概略図である。なお、図１（ａ）、（ｂ）及び図２においては図示を明瞭にするために、表示パネル及びタッチパネル部分に、便宜的にハッチングを施して示した。以下、図４、図６においても同様に表示する。
【００１３】
（外観形状／実装構造）
本発明の一実施形態に係る表示装置１００は、例えば図１に示すように、湾曲した外観形状を有している。具体的には、表示装置１００は、図１（ａ）、（ｃ）に示すように、略帯状の絶縁性の部材が長手方向に所定の曲率を有して湾曲し、側面側から見て（図１（ｃ）参照）、円弧状又は略Ｃ字形状に形成された機器ケース１０２を備えている。また、機器ケース１０２の延在方向の両端部（図１（ａ）、（ｃ）の下方側の端部）は、図示を省略したバックルやアタッチメント等により相互に接続したり、あるいは、巻き込むように変形して近接したり重なり合ったりするように形成されている。このような構造により、機器ケース１０２の装着空間１０４が図１（ｃ）に示すように円環状に確定されて、図２に示すように、機器ケース１０２の内周側の面（内周面；装着空間１０４側の面）が手首ＵＳｈに接触又は密着して、表示装置１００が手首ＵＳｈや腕に装着される。ここで、機器ケース１０２は、ユーザが表示装置１００を手首ＵＳｈに装着して使用した際に、ある程度の変形を許容しつつ、湾曲形状を保持できる程度の剛性や強度を備えるとともに、人体（肌）に接触しても違和感を持たない程度の質感を有していることが好ましい。
【００１４】
このような湾曲形状を有する表示装置１００において、機器ケース１０２には、図１（ｃ）に示すように、大別して、表示パネル１１１と、タッチパネル１２１と、回路基板１５１と、電池１７１とが収納されている。図１（ａ）、（ｃ）に示すように、機器ケース１０２の外周側の面（外周面）には、機器ケース１０２の長手方向に沿って表示領域が延在するように表示パネル１１１が設けられ、当該表示パネル１１１のさらに外側（視野側）には、表示パネル１１１の表示領域の略全域に対応するようにタッチパネル１２１が設けられている。また、図１（ｃ）に示すように、表示パネル１１１及びタッチパネル１２１の内周側（装着空間１０４側）には、機器ケース１０２の長手方向に沿って延在し、演算処理回路や配線等の電子部品を搭載した回路基板１５１が設けられ、当該回路基板１５１のさらに内側には、機器ケース１０２の長手方向に沿って薄型の電池１７１が設けられている。ここで、機器ケース１０２に収納される表示パネル１１１、タッチパネル１２１、回路基板１５１、電池１７１は、それぞれ、機器ケース１０２の形状に対応した湾曲形状を有しているものであってもよいし、機器ケース１０２の形状に対応して湾曲する可撓性や変形性を有する部材により形成されているものであってもよい。すなわち、表示パネル１１１、タッチパネル１２１、回路基板１５１、電池１７１は、機器ケース１０２の湾曲形状の曲率に対応して、予め所定の曲率で湾曲した形状を有するものであってもよい。あるいは、機器ケース１０２に収納可能な大きさの平面形状を有するものを用意して、機器ケース１０２に湾曲させて組み込むものであってもよい。
【００１５】
なお、図１（ｃ）においては、回路基板１５１や電池１７１が、表示パネル１１１やタッチパネル１２１と同様に、機器ケース１０２の長手方向に沿って湾曲して延在し、機器ケース１０２の外周側から内周側を見て、表示パネル１１１やタッチパネル１２１と平面的に重なるように設けられた構造を示したが、本発明はこれに限定されるものではない。本発明は、表示パネル１１１の表示領域が機器ケース１０２の長手方向に沿って延在し、タッチパネル１２１が表示パネル１１１の表示領域の略全域に対応するように設けられた構造を有するものであれば、回路基板１５１や電池１７１の形状や大きさ、配置は、任意に設定されるものであってもよい。したがって、回路基板１５１や電池１７１は、機器ケース１０２の外周側から内周側を見て、表示パネル１１１やタッチパネル１２１と平面的に重ならないように形状や配置が設定されているものであってもよいし、一部のみが平面的に重なるように形状や配置が設定されているものであってもよい。
【００１６】
（機能構成）
図３は、本実施形態に係る表示装置における機能構成を示す概略ブロック図である。
本実施形態に係る表示装置１００は、例えば図３に示すように、大別して、表示部１１０と、入力操作部１２０と、センサ部（モーションセンサ）１３０と、通信部１４０と、制御部（表示制御部、位置検出部、パラメータ算出部）１５０と、メモリ部１６０と、電源供給部１７０と、を有している。ここで、これらの機能構成のうち、例えばセンサ部１３０と通信部１４０と制御部１５０とメモリ部１６０とは、同一の回路基板１５１に搭載されているものであってもよい。
【００１７】
表示部１１０は、図１、図２に示したように、機器ケース１０２の長手方向に沿って湾曲して延在するように設けられた表示パネル１１１を有し、当該表示パネル１１１に、例えば現在時刻やユーザの動作中や運動中に取得した生体情報や運動情報等の、各種の情報を表示する。特に、本実施形態においては、ユーザに装着された表示装置１００の向きや傾きに関わらず、表示パネル１１１の全表示領域のうち、ユーザが目視している方向（ユーザ目視方向）を基準とする特定の範囲の表示領域にのみ、所望の情報が表示される。ここで、表示部１１０は、例えば液晶方式や、有機ＥＬ等の発光素子方式、電子ペーパー方式等の各種の表示パネルを適用することができる。また、表示パネル１１１に表示される各種の情報は、カラー表示されるものであってもよいし、モノクロ表示されるものであってもよい。また、各種の情報は、文字情報や静止画像に限らず、動画像であってもよい。
【００１８】
入力操作部１２０は、図１、図２に示すように、少なくとも上述した表示パネル１１１の表示領域の全域に対応してユーザの視野側に設けられたタッチパネル１２１等のソフトウェアキーを有している。入力操作部１２０は、ユーザが所望する情報を設定したり、当該情報を表示パネル１１１のユーザの目視方向の表示領域に表示されるように設定したりする操作に用いられる。また、入力操作部１２０は、図示を省略したが、機器ケース１０２の外面や側面に設けられた操作ボタン（押しボタンやタッチセンサ等）等のハードウェアキーを有しているものであってもよい。ここで、入力操作部１２０は、上記のソフトウェアキーに替えてハードウェアキーのみを有しているものであってもよいし、上記のソフトウェアキー及びハードウェアキーの両方を備えているものであってもよい。これらのタッチパネルや操作ボタン等は、例えば表示装置１００を起動するための電源操作や、表示装置１００における他の動作（例えばセンサ部１３０や通信部１４０における動作等）を設定するための操作にも用いられる。
【００１９】
センサ部１３０は、少なくとも３軸加速度センサを有し、ユーザの動作中や運動中の加速度を互いに直交する３軸方向の検出信号として出力する。また、センサ部１３０は、ユーザの動作中や運動中の角速度や地磁気、重力等の物理情報を、互いに直交する３軸方向の検出信号として出力するセンサや、ユーザの脈拍や体温、血圧等の生体情報、気圧や気温、湿度等の環境情報を取得するセンサを有しているものであってもよい。センサ部１３０により取得された各種の物理情報や生体情報等の検出信号は、後述するメモリ部１６０の所定の記憶領域にセンサデータとして保存される。
【００２０】
通信部１４０は、表示装置１００の外部の機器（例えばスマートフォンやタブレット、パーソナルコンピュータ等）やネットワークとの間で、取得したセンサデータや各種信号の送受信を行うインターフェースとして機能する。ここで、通信部１４０を介して、表示装置１００と外部の機器等との間で、センサデータ等を送受信する手法としては、各種の無線通信方式や有線通信方式を適用することができる。特に、無線通信方式の場合には、例えば周知のブルートゥース（Bluetooth（登録商標））やブルートゥースローエナジー（Bluetooth（登録商標） Low Energy）、ＮＦＣ（Near field communication）、ワイファイ（Wi-Fi；wireless fidelity（登録商標））等の通信方式を良好に適用することができる。なお、表示装置１００は、通信部１４０に替えて、又は、通信部１４０に加えて、入出力インターフェース部を有し、例えばメモリカード等のリムーバブル記憶媒体を介して、外部の機器との間でセンサデータ等を受け渡しするものであってもよい。
【００２１】
制御部１５０は、ＣＰＵやＭＰＵ等の演算処理回路を有し、所定のプログラムを実行することにより、表示部１１０における情報の表示動作や、入力操作部１２０における情報の選択動作や表示範囲の設定動作、センサ部１３０におけるセンシング動作等の、各種の動作を制御する。なお、表示部１１０における情報の表示動作や、入力操作部１２０における情報の表示範囲の設定動作等の制御方法については後述する。
【００２２】
メモリ部１６０は、センサ部１３０により取得されたセンサデータや、表示部１１０に表示される各種の情報、表示部１１０に情報を表示する際に、ユーザ目視方向を規定するためのパラメータ（相対角度ψ）を保存する。また、メモリ部１６０は、制御部１５０により制御される、上記の各種の動作を実行する際に使用又は生成されるデータや情報を保存する。また、メモリ部１６０は、制御部１５０で実行されるプログラムを格納するものであってもよい。なお、メモリ部１６０は、例えばメモリカード等のリムーバブル記憶媒体としての形態を有し、表示装置１００に対して着脱可能に設定されているものであってもよい。
【００２３】
電源供給部１７０は、上述した湾曲形状を有する機器ケース１０２の長手方向に沿って延在する薄型の電池（バッテリ）１７１を有し、当該電池から出力される駆動電力を、表示装置１００の各構成に供給する。ここで、本実施形態に適用される電池としては、例えばリチウムイオン電池やニッケル水素電池等の、繰り返し充放電が可能な二次電池が適用される。なお、電源供給部１７０は、上記の二次電池に加え、市販のボタン型電池等の一次電池や、振動や光、熱、電磁波等のエネルギーにより発電する環境発電（エナジーハーベスト）技術による電源等を併用するものであってもよい。
【００２４】
なお、図示を省略したが、本実施形態に係る表示装置１００は、図３に示した構成の他に、表示部１１０に表示される情報や表示装置１００の動作状態等を報知するための音響部（例えばスピーカやブザー等）や振動部（例えばバイブレータ等）を備えているものであってもよい。これにより、表示部１１０の表示や表示装置１００の動作状態（特に、異常状態）等に対応して、各種の音声やブザー音、振動を発生させてユーザに報知することができる。
【００２５】
次に、本実施形態に係る示装置における情報表示方法に適用される表示装置の座標系と、ユーザ目視方向との関係について説明する。
図４は、本実施形態に係る情報表示方法に適用される表示装置の座標系とその座標変換を説明するための概略図である。図４（ａ）は、表示装置の３次元座標系を示す側面図であり、図４（ｂ）は、表示装置の正面図であり、図４（ｃ）は、３次元座標系と極座標系との関係を示す図である。
【００２６】
上述した表示装置１００のセンサ部１３０に設けられる３軸加速度センサにより取得される加速度データは、表示装置１００に予め設定された３次元座標系のＸ、Ｙ、Ｚの各軸方向の加速度成分として検出される。本実施形態においては、３次元座標系は、例えば図４（ｂ）に示すように、所定の曲率を有して円弧状に湾曲して延在する機器ケース１０２の幅方向の中心線Ｌｃを通る平面をＸ−Ｙ平面とする。そして、例えば図４（ａ）に示すように、Ｘ−Ｙ平面（図４（ａ）の紙面に相当する）上にあって、所定の曲率を有して円弧状に湾曲して延在する機器ケース１０２の円弧（又は円周）の中心位置を原点Ｐと規定し、当該原点Ｐを通り、Ｘ−Ｙ平面に垂直な方向（手首ＵＳｈの延在方向に相当する）の軸をＺ軸と規定する。また、原点Ｐを通り、Ｘ−Ｙ平面上にあって、相互に直交する２方向をＸ軸及びＹ軸に設定する。ここで、本実施形態においては、図４（ａ）に示すように、例えば紙面奥方向をＺ軸の「＋」とし、図面右方向をＸ軸の「＋」とし、図面上方向をＹ軸の「＋」）とする。なお、図４（ａ）、（ｂ）に示した３次元座標系の原点Ｐの位置や各軸方向の設定は、本発明の一例を示すものであって、これに限定されるものではない。すなわち、後述する３次元座標系から極座標系への座標変換が正しく行われるものであれば、原点Ｐの位置や各軸方向を任意に設定するものであってもよい。
【００２７】
次いで、上述した３次元座標を極座標に変換する処理について説明する。この座標変換処理は、後述する情報表示方法におけるユーザ目視方向の設定処理に適用される。
３次元座標から極座標への変換処理は、具体的には、まず、加速度センサにより検出された加速度データを、図４（ｃ）に示すように、３次元座標系のＸ、Ｙ、Ｚの各軸方向の加速度成分に基づいて生成される合成ベクトルＶとして表し、その始点を原点Ｐ(０，０，０)、終点を測定点Ｑ(ｘ，ｙ，ｚ)と設定する。また、この合成ベクトルＶの始点から終点までの距離をｒと設定し、測定点Ｑ(ｘ，ｙ，ｚ)のＸ−Ｙ平面に投影した点Ｑｘｙ(ｘ，ｙ)と原点Ｐ(０，０)とを結ぶ線Ｖｘｙと、Ｘ軸とのなす角をθと設定し、測定点Ｑ(ｘ，ｙ，ｚ)と原点Ｐ(０，０，０)とを結ぶ線（すなわち合成ベクトルＶ）と、ＸＹ平面（すなわち、線Ｖｘｙ）とのなす角をφと設定する。この設定において、３次元座標（直交座標）を極座標に座標変換［(ｘ，ｙ，ｚ)→(ｒ，φ，θ)］する際の計算式は、次式（１１）〜（１３）のように表すことができる。ここで、0≦ｒ＜∞、−(π/2) ＜φ≦π/2、−π＜θ≦πであり、角度表示はラジアンとした。また、x＝r・cosφ・cosθ、ｙ＝r・cosφ・sinθ、z＝r・sinφである。
【００２８】
【数１】
0006536881.tif 000002
【００２９】
＜情報表示方法＞
次に、本実施形態に係る表示装置における情報表示方法について、図面を参照して説明する。ここで、以下に示す情報表示方法の各処理動作は、表示装置１００の制御部１５０において、所定のプログラムを実行することにより実現されるものである。
【００３０】
（ユーザ目視方向設定処理／画面表示範囲設定処理）
図５は、本実施形態に係る表示装置における情報表示方法に適用されるユーザ目視方向設定処理、及び、画面表示範囲設定処理の一例を示すフローチャートである。また、図６は、本実施形態に係る情報表示方法に適用されるユーザ目視方向設定処理を説明するための概略図であり、図７は、本実施形態に係る情報表示方法における画面表示範囲設定処理を説明するための概略図である。
【００３１】
表示装置１００における情報表示方法に適用されるユーザ目視方向設定処理及び画面表示範囲設定処理は、まず、図５に示すように、ユーザが表示装置１００を身体に装着して、機器ケース１０２設けられた入力操作部１２０の電源スイッチ（図示を省略）等をオン操作することにより電源供給部１７０から駆動電力が供給（電源オン）されて、表示装置１００を起動する（ステップＳ１０２）。ここで、表示装置１００は起動直後の初期状態においては、表示部１１０の表示パネル１１１には何も表示されていない非表示状態に設定されている。
【００３２】
表示装置１００が起動すると、制御部１５０は、センサ部１３０をセンシング動作させることにより、所定のセンサデータを取得し（ステップＳ１０４）、当該センサデータに基づいて、表示装置１００に対する重力加速度の方向を検知する（ステップＳ１０６）。
【００３３】
具体的には、制御部１５０は、センサ部１３０に設けられた加速度センサにより３軸方向の加速度データを取得する。ここで、加速度センサにより取得される加速度データは、上述したように、表示装置１００に予め設定された３次元座標系のＸ、Ｙ、Ｚの各軸方向の加速度成分として検出される（図４参照）。そして、制御部１５０は、取得された３軸方向の加速度成分に基づいて、例えば図６（ａ）、（ｂ）に示すように、表示装置１００に対する重力加速度の方向を示すベクトル（重力方向ベクトル）Ｇを算出して、メモリ部１６０の所定の記憶領域に随時保存する。このような表示装置１００に対する重力加速度の方向を検知する動作は、加速度センサのサンプリング周波数に基づいてセンサデータが取得される度に時間的に連続して実行されるものであってもよいし、所定の周期（例えば０．１〜０．５秒）ごとに実行されるものであってもよい。
【００３４】
なお、上記ステップＳ１０２、Ｓ１０４においては、表示装置１００が電源オフの状態から起動（電源オンの状態に移行）して、センサ部１３０の加速度センサにより加速度データを取得する場合について説明したが、本発明はこれに限定されるものでない。すなわち、表示装置１００がスリープ状態から復起して駆動状態に移行するものであってもよい。この場合、表示装置１００は、スリープ状態において、例えば制御部１５０の一部やセンサ部１３０にのみ最低限の駆動電力を供給して、センサ部１３０の加速度センサが常時又は定期的に加速度データを取得するように設定されているものであってもよい。そして、ユーザが表示装置１００を装着する動作によりセンサ部１３０が加速度データの変化等を検出した場合に、制御部１５０全体や他の構成（表示部１１０や入力操作部１２０等）が起動するものであってもよい。これによれば、スリープ状態においても加速度センサにより随時加速データが取得されているので、上記のステップＳ１０６以降の処理動作を迅速に実行することができる。
【００３５】
次いで、制御部１５０は、ユーザが表示部１１０の表示パネル１１１の視野側に設けられたタッチパネル１２１の所定の領域を指等で触れた（タッチ操作した）か否かを判定する（ステップＳ１０８）。すなわち、ユーザは、図２に示したように、表示装置１００を手首ＵＳｈに装着した状態で、表示装置１００の外周面に沿って帯状に延在する表示パネル１１１の全ての表示領域のうち、図６（ａ）に示すように、ユーザの視界の範囲に入り、かつ、最も視認しやすい位置（又は、良好に視認できる位置）又はその近傍領域を、当該表示領域の視野側に設けられたタッチパネル１２１に指で触れることにより指定する。
【００３６】
そして、ユーザが表示領域における目視方向に相当する位置のタッチパネル１２１にタッチした場合（ステップＳ１０８のＹｅｓ）には、制御部１５０は、ユーザにより指定されたタッチ位置を検出する（ステップＳ１１０）とともに、その時点の重力加速度の方向を決定する（ステップＳ１１２）。
【００３７】
具体的には、ユーザが表示領域における目視方向に相当する位置のタッチパネル１２１にタッチした場合、制御部１５０は、当該タッチ位置に対応する目視方向を極座標により算出する。すなわち、制御部１５０は、図６（ｂ）に示すように、原点Ｐ及びタッチ位置Ｐｔを通る線ＶｔとＸ軸とのなす角θｔ、及び、線ＶｔとＸ−Ｙ平面とのなす角φｔを計算して、メモリ部１６０の所定の記憶領域に保存する。ここで、図６（ｂ）に示すように、タッチ位置Ｐｔが機器ケース１０２の幅方向の中心線Ｌｃ又はその近傍にある場合には、タッチ位置Ｐｔは中心線Ｌｃを通るＸ−Ｙ平面上にあるものと推定できるので、角φｔは実質的に０になる。
【００３８】
また、ユーザにより目視方向に相当する位置のタッチパネル１２１がタッチされた時点で、センサ部１３０の加速度センサにより３次元座標で検知されている重力加速度の方向を、重力方向ベクトルＧの方向として決定し、図４（ｃ）に示した座標変換処理を実行して極座標により算出する。すなわち、制御部１５０は、図６（ｂ）に示すように、原点Ｐを始点とする重力方向ベクトルＧと、そのＸ−Ｙ平面に投影したベクトル成分Ｇｘｙとのなす角φｇ、及び、ベクトル成分ＧｘｙとＸ軸とのなす角θｇを計算して、メモリ部１６０の所定の記憶領域に保存する。これにより、制御部１５０は、上記の角θｔ、φｔ、θｇ、φｇの関係性に基づいて、重力加速度方向（重力方向ベクトルＧ）を基準としてタッチ位置Ｐｔの方向（すなわち、ユーザ目視方向）を規定するパラメータとなる相対角度ψを算出して、メモリ部１６０の所定の記憶領域に保存する。
【００３９】
ここで、本実施形態においては、制御部１５０は、図６（ａ）に示すように、原点Ｐ０とユーザが指定した表示領域のタッチ位置Ｐｔとを結ぶ線Ｖｔの延長線上に、ユーザの日常や運動時の動作の中で、手首ＵＳｈに装着した表示装置１００に表示された情報を良好に視認しやすい姿勢にしたときの、ユーザの眼があると推定する。そして、制御部１５０は、原点Ｐとユーザの表示領域に対する視点とを結ぶ方向を単一のユーザ目視方向（図６（ａ）中、一点鎖線で表記）として設定する。なお、このユーザ目視方向は、厳密にはユーザの両眼の間の位置を向いていると想定したもので、実際にユーザが目視したときの両眼からの複数の視線と逆向きの方向と一致している必要はない。
【００４０】
一方、ユーザが表示領域における目視方向に相当する位置のタッチパネル１２１にタッチしていない場合（ステップＳ１０８のＮｏ）には、制御部１５０は、ステップＳ１０４に戻って、センサデータを取得して表示装置１００に対する重力加速度の方向を検知する動作を繰り返し実行する。
【００４１】
上記のステップＳ１０４〜Ｓ１１２のユーザ目視方向設定処理の後、制御部１５０は、表示装置１００の外周面に沿って帯状に延在するように設けられた表示パネルの全表示領域が非表示状態にあるか否かを判定する（ステップＳ１１４）。表示パネルの全表示領域が非表示状態にある場合（ステップＳ１１４のＹｅｓ）には、制御部１５０は、検出されたタッチ位置Ｐｔを基準にして（又は、中心にして）、表示パネルが湾曲して延在する方向に沿った特定の範囲の表示領域にのみ情報を表示する（ステップＳ１１６）。
【００４２】
具体的には、制御部１５０は、図７に示すように、Ｘ−Ｙ平面上の原点Ｐにおいて、タッチ位置Ｐｔにより設定されるユーザ目視方向を基準にして（又は、中心にして）、円弧状に湾曲して延在する機器ケース１０２の外周面に沿った方向に、任意の角度範囲内の表示領域をユーザが目視可能であると推定される画面表示範囲として設定し、当該画面表示範囲の角度範囲以外の表示領域を画面非表示範囲として設定する。画面表示範囲を規定する角度範囲は、例えば−π／２〜＋π／２や、−π／３〜＋π／３のように、ユーザ目視方向を基準にしてプラス方向（＋）及びマイナス方向（−）に同一又は同等の角度の範囲を設定するものであってもよいし、例えば−π／２〜＋π／３のように、ユーザ目視方向を基準にしてプラス方向（＋）及びマイナス方向（−）に異なる角度の範囲を設定するものであってもよい。そして、制御部１５０は、画面表示範囲として設定された表示領域にのみ情報を表示し、画面非表示範囲として設定された表示領域には情報を表示しない。ここで、表示領域における情報の表示（画面表示）、非表示（画面非表示）の方法は、表示部１１０に設けられる表示パネル１１１の仕様に応じた手法が適用される。例えば液晶方式や有機ＥＬ等の発光素子方式、電子ペーパー方式等の表示パネル１１１においては、表示領域への情報の表示自体をオン（表示）、オフ（消去）する手法を適用することができ、また、例えばバックライトを備えた透過型の液晶表示パネルにおいては、表示領域への情報の表示自体はそのままにして、バックライトのみをオン（点灯）、オフ（消灯）する手法を適用することもできる。
【００４３】
一方、表示パネルの全表示領域が非表示状態ではなく、一部の表示領域が画面表示範囲に設定されて表示状態にある場合（ステップＳ１１４のＮｏ）には、制御部１５０は、既定の画面表示範囲に替えて、新たに検出されたタッチ位置Ｐｔを基準とした特定の範囲の表示領域に情報を表示し、それ以外の表示領域を非表示にする（ステップＳ１１８）。すなわち、制御部１５０は、新たに検出されたタッチ位置Ｐｔにより設定されるユーザ目視方向を基準にして、図７に示したように、画面表示範囲及び画面非表示範囲を再設定し、画面表示範囲として設定された表示領域に情報を表示し、画面非表示範囲として設定された表示領域の情報を非表示にする。
【００４４】
なお、図５に示したフローチャートにおいては、上記のステップＳ１１４〜Ｓ１１８の画面表示範囲設定処理の後、一連の処理動作を終了するように便宜的に表記したが、本実施形態に係る情報表示方法においては、上記のステップＳ１０４に戻って、上述したユーザ目視方向設定処理及び画面表示範囲設定処理を繰り返し実行するものであることが好ましい。これによれば、ユーザのタッチ操作を常時監視して、タッチ位置により設定されるユーザ目視方向に基づいて表示領域に画面表示範囲及び画面非表示範囲が随時設定される。
【００４５】
このように、本実施形態に係る情報表示方法においては、所定の曲率を有して円弧状に湾曲して延在する表示パネル１１１を備えた表示装置１００において、ユーザにより指定されたタッチ位置を基準とした特定の範囲（画面表示範囲）の表示領域にのみ情報が表示され、それ以外（画面非表示範囲）の表示領域には情報が表示されない。ここで、表示装置１００に設定された座標系の原点から見てタッチ位置の方向は、ユーザの目視方向に相当するので、ユーザの視界の範囲内にある表示領域にのみ情報が表示されることにより、ユーザは当該情報を良好な状態で視認することができる。また、ユーザの視界の範囲外にある表示領域には情報を表示しないようにすることにより、無駄な表示動作をなくして表示部１１０における消費電力を抑制することができる。
【００４６】
また、上述した情報表示方法に係る一連の処理動作（ステップＳ１０４〜Ｓ１１８）を繰り返し実行することにより、ユーザが表示装置１００のタッチパネル１２１の任意の位置をタッチする操作を常時監視して、タッチ位置により設定されるユーザの目視方向に基づいて表示領域に画面表示範囲及び画面非表示範囲が随時設定される。これにより、ユーザは画面表示範囲に表示された情報を常に良好な状態で視認することができるとともに、画面非表示範囲における表示動作に要する消費電力を抑制することができる。
【００４７】
なお、上述した情報表示方法においては、表示装置１００の起動直後の初期状態において表示パネル１１１に何も表示されていない非表示状態に設定されている場合について説明したが、本発明はこれに限定されるものではない。すなわち、初期状態において、表示パネル１１１の表示領域の全域に予め設定された情報が表示された状態（全表示状態）に設定されているものであってもよい。この場合、ステップＳ１０８以降の処理動作を行うことにより、全表示状態からタッチ位置Ｐｔを基準にした特定の画面表示範囲の表示領域にのみ情報を表示し、それ以外の画面非表示範囲の表示領域に情報を表示しない状態に移行する。
【００４８】
また、上述した情報表示方法においては、ユーザが表示パネル１１１の視野側に設けられたタッチパネル１２１にタッチする際の入力操作の種類について言及しなかったが、本発明はタッチの種類について特に限定するものではない。すなわち、タッチパネル１２１にタッチする際の入力操作は、タッチパネル１２１の操作面（又は画面）を軽くたたくように指等で触れるタップ操作や、操作面を長押しするロングタップ操作、操作面に指等を接触させた状態で任意の方向にスライドさせるスワイプ操作等、各種の操作方法を適用することができる。このとき、各入力操作において、タッチパネル１２１に最初に指等が触れた位置がユーザの目視方向である可能性が高いので、当該タッチ位置を基準とした特定の範囲の表示領域にのみ情報を表示することにより、消費電力を抑制しつつ、ユーザは当該情報を常に良好な状態で視認することができる。
【００４９】
また、上述した情報表示方法においては、表示領域の視野側に設けられたタッチパネル１２１の任意の位置を一回（すなわち、一箇所）タッチすることにより、当該タッチ位置を基準として表示領域に画面表示範囲を設定する例について述べたが、本発明はこれに限定されるものではない。すなわち、タッチパネル１２１の任意の位置を複数回タッチすることにより、当該タッチ位置を基準として表示領域に画面表示範囲を設定するものであってもよい。例えば、タッチパネル１２１の異なる複数の位置をタッチすることにより、例えば２箇所をタッチした場合には当該２箇所のタッチ位置を境界としてタッチ位置間の表示領域を画面表示範囲に設定するものであってもよいし、例えば４箇所を矩形状にタッチした場合には当該４箇所のタッチ位置を頂点とする矩形状の領域を画面表示範囲に設定するものであってもよい。また、例えば、タッチパネル１２１の略同一の位置を複数回タッチすることにより、例えば当該タッチ位置を基準として表示領域に設定される画面表示範囲の面積（すなわち、上述した角度範囲）をタッチ回数に応じて順次大きくしたり（例えば±π／４→±π／３→±π／２）、あるいは、小さくしたり（例えば±π／２→±π／３→±π／４）するものであってもよい。
【００５０】
（画面表示範囲変更処理）
図８は、本実施形態に係る表示装置における情報表示方法に適用される画面表示範囲変更処理の一例を示すフローチャートである。ここで、上述した情報表示方法（ユーザ目視方向設定処理及び画面表示範囲設定処理）と同等の処理動作については説明を簡略化する。また、図９は、本実施形態に係る情報表示方法における画面表示範囲変更処理を説明するための概略図である。
【００５１】
次に、表示装置１００における情報表示方法に適用される画面表示範囲変更処理は、まず、図８に示すように、ユーザが表示装置１００を身体に装着して、表示装置１００を起動する（ステップＳ２０２）。表示装置１００が起動すると、制御部１５０は、センサ部１３０に設けられた加速度センサにより３軸方向の加速度データを取得し（ステップＳ２０４）、当該加速度データに基づいて、表示装置１００に対する重力加速度の方向を検知する（ステップＳ２０６）。
【００５２】
次いで、制御部１５０は、ユーザが表示装置１００を装着した手首ＵＳｈをひねることにより、表示装置１００を回転させたか否かを判定する（ステップＳ１０８）。ここで、図２、図４に示したように、ユーザの手首ＵＳｈに表示装置１００を装着した状態においては、手首ＵＳｈの延在方向にＺ軸が規定されているので、ユーザが手首ＵＳｈをひねることにより、表示装置１００の表示パネル１１１がＺ軸を中心にしてＸ−Ｙ平面内で回転することになる。したがって、制御部１５０は、センサ部１３０に設けられた加速度センサにより取得される３軸方向の加速度データのうち、Ｘ、Ｙの各軸方向の加速度成分の変化に基づいて、表示装置１００が回転したか否かを判定することができる。
【００５３】
なお、本実施形態においては、表示装置１００を回転させたか否かを判定する処理動作を実行する場合について説明したが、これに限定されるものではなく、例えば表示装置１００を移動させたか否かを判定する処理動作を実行するものであってもよい。この場合においても、制御部１５０は、表示装置１００の移動時に加速度センサにより取得される３軸方向の加速度データのうち、Ｘ−Ｙ平面内における表示パネル１１１の回転に関連する成分の変化を監視することにより、表示装置１００が回転したか否かを判定する。
【００５４】
そして、制御部１５０は、表示装置１００が回転したと判定した場合（ステップＳ２０８のＹｅｓ）には、当該表示装置１００の回転に合わせて、表示領域における画面表示範囲を変更する（ステップＳ２１０）。
【００５５】
具体的には、例えば図７に示すように、ユーザが、円弧状に湾曲して延在する表示パネル１１１の一方（図面右方側）の端部１１１ａ寄りのタッチ位置Ｐｔにより設定されたユーザ目視方向を基準とした特定の角度範囲（例えば−π／２〜＋π／２）内の表示領域に表示される情報を視認していた状態から、図９に示すように、ユーザが手首をひねることにより、表示装置１００をＸ−Ｙ平面内で時計回りに回転させた状態に移行するものとする。なお、このとき表示領域に表示される情報は、表示位置が固定されていて、表示装置１００が回転した場合であっても各情報の表示領域上の位置は変わらない。
【００５６】
このような状態の変化に対して、制御部１５０は、加速度センサにより取得される３軸方向の加速度データに基づいて、表示装置１００の回転を検知すると、その時点の重力加速度の方向を極座標により算出する。次いで、制御部１５０は、図９に示すように、算出された重力加速度の方向を基準にして、上述したユーザ目視方向設定処理（図６参照）において算出されてメモリ部１６０に保存された相対角度ψを用いて、ユーザ目視方向を再設定する。次いで、制御部１５０は、再設定されたユーザ目視方向を基準にして、機器ケース１０２の外周面に沿った方向に、特定の角度範囲（例えば−π／２〜＋π／２）内の表示領域を、画面表示範囲として設定して情報を表示し、当該角度範囲外の表示領域を、画面非表示範囲として設定して情報を非表示にする。これにより、例えば図９に示すように、円弧状に湾曲して延在する表示パネル１１１の他方（図面上方側）の端部１１１ｂ寄りに再設定されたユーザ目視方向を基準とした特定の角度範囲（画面表示範囲；例えば−π／２〜＋π／２）内の表示領域に表示される情報がユーザにより視認される。
【００５７】
一方、表示装置１００が回転していない場合（ステップＳ２０８のＮｏ）には、制御部１５０は、ステップＳ２０４に戻って、センサデータを取得して表示装置１００に対する重力加速度の方向を検知する動作を繰り返し実行する。
【００５８】
なお、図８に示したフローチャートにおいては、上記のステップＳ２０８、Ｓ２１０の画面表示範囲変更処理の後、一連の処理動作を終了するように便宜的に表記したが、本実施形態に係る情報表示方法においては、上記のステップＳ２０４に戻って、上述した表示装置回転検知処理及び画面表示範囲変更処理を繰り返し実行するものであることが好ましい。これによれば、表示装置１００の回転状態を常時監視して、重力加速度方向を基準にして再設定されるユーザ目視方向に基づいて表示領域に画面表示範囲及び画面非表示範囲が随時設定される。
【００５９】
このように、本実施形態に係る情報表示方法においては、所定の曲率を有して円弧状に湾曲して延在する表示パネル１１１の表示領域の全域に表示される情報において、重力加速度方向を基準にして予め算出された相対角度ψを用いてユーザ目視方向を規定し、当該ユーザ目視方向を基準とする画像表示範囲に設定された表示領域の情報を表示し、画面非表示範囲に設定された表示領域の情報を表示しないように制御される。これにより、表示装置１００を表示パネル１１１の延在する方向に回転させた場合であっても、ユーザの目視方向に追従するように、画像表示範囲に設定された表示領域の情報が表示されるので、ユーザは表示パネル１１１に常に情報が表示されているように認識して、表示パネル１１１に表示された情報を良好な状態で視認することができる。また、ユーザに視認されない画像非表示範囲に設定された表示領域には情報が表示されないので、無駄な表示動作をなくして消費電力を抑制することができる。
【００６０】
また、上述した情報表示方法に係る一連の処理動作（ステップＳ２０４〜Ｓ２１０）を繰り返し実行することにより、表示装置１００の回転状態を常時監視して、当該回転状態に応じて表示領域に画面表示範囲及び画面非表示範囲が随時設定されるので、ユーザは画面表示範囲に表示された情報を常に良好な状態で視認することができるとともに、画面非表示範囲における表示動作に要する消費電力を抑制することができる。
【００６１】
なお、上述した情報表示方法においては、表示装置１００の回転状態を監視して、当該回転が生じた時点の重力加速度の方向に基づいて、ユーザ目視方向を再設定して画面表示範囲を再設定する場合について説明したが、本発明はこれに限定されるものではない。例えば、表示装置１００の回転角度が所定の閾値以上になった場合に、上述した画面表示範囲変更処理を実行して画面表示範囲を再設定するものであってもよいし、表示装置１００の回転が生じた後、静止状態が所定の時間継続した場合に、画面表示範囲を再設定するものであってもよい。
【００６２】
なお、上述した実施形態においては、表示パネル１１１の視野側に設けられたタッチパネル１２１の任意の位置にタッチすることによりユーザ目視方向を設定する方法について説明したが、本発明はこれに限定されるものではない。すなわち、本発明に係る表示装置１００をウェアラブル端末に適用する場合、タッチパネル１２１を用いて、上述したユーザ目視方向設定処理だけでなく、他の機能や特定のアプリケーションソフトウェアを実行するための入力操作を行う場合もある。このような場合には、ユーザ目視方向設定処理における入力操作と、他の機能を実行するための入力操作とが混同してしまい、ユーザ目視方向の設定や他の機能を正常に実行できない可能性がある。そこで、このような入力操作の混同を防止するために、例えばユーザ目視方向設定処理に関する動作モードと、他の機能を実行するための動作モードとを備え、ユーザ目視方向設定処理に関する動作モードに設定した場合のみ、タッチパネル１２１においてユーザ目視方向設定用のタッチ位置の検出が行われるようにしてもよい。また、入力操作の混同を防止するために、例えば表示パネル１１１の延在方向に沿って、表示領域内の一部（例えば端部）の領域を、ユーザ目視方向設定用の領域としたソフトウェアキーを設けたり、表示パネル１１１の延在方向に沿って、ユーザ目視方向設定用のハードウェアキーを配置したりして、当該専用キーを用いて入力操作した場合のみ、ユーザ目視方向設定用のタッチ位置の検出が行われるようにしてもよい。また、入力操作の混同を防止するために、例えばタッチパネル１２１において、タッチ位置をロングタップ操作やフリック操作により長押しすることにより、タッチ位置設定メニューを表示し、当該メニューを選択することにより、ユーザ目視方向設定用のタッチ位置の検出が行われるようにしてもよい。
【００６３】
また、上述した実施形態においては、表示装置１００に対する重力加速度の方向を検出するためのセンサデータとして、センサ部１３０に設けられた加速度センサにより取得される３軸方向の加速度データを適用する場合について説明したが、本発明はこれに限定されるものではない。すなわち、本発明は、表示装置１００に対する重力加速度の方向を検出することができるものであればよく、例えば角速度センサや重力センサ、地磁気センサ等の他のセンサにより検出されるセンサデータを適用するものであってもよい。ここで、本発明を、ユーザの動作状態を検出する各種のモーションセンサを備えたウェアラブル端末に適用する場合には、上記の重力加速度方向を検出するセンサとして、既存のモーションセンサを用いるものであってもよい。
【００６４】
また、上述した実施形態においては、表示装置として、人体の手首に装着するリストバンド型（又は、ブレスレット型）の機器に適用した場合について説明したが、本発明はこれに限定されるものではない。すなわち、本発明は、手首や腕に装着する場合のほか、ユーザが視認可能な位置であって、かつ、所定の曲率を有する部位（人体の部位であってもよいし、人体でなくてもよい）に装着する機器であれば良好に適用することができる。また、本発明は、人体の部位の形状に応じて機器ケース１０２や表示パネル１１１、タッチパネル１２１が、側面方向（図１（ｃ）、図４参照）から見て、所定の曲率を有して連続的に湾曲した円弧状の構造を有する場合に限定されるものではなく、例えば複数の平面状の表示パネルやタッチパネル１２１が、側面方向から見て多角形状に連結された構造を有するものであってもよい。
【００６５】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００６６】
（付記）
［１］
表示領域を有する表示部と、
前記表示部に設けられた入力操作部と、
前記表示領域のうち、ユーザが前記入力操作部により指定した指定位置を検出する位置検出部と、
前記表示領域のうち、前記位置検出部により検出された前記指定位置を基準とした特定の範囲に情報を表示するよう前記表示部を制御するとともに、前記特定の範囲以外の前記表示領域に情報を表示しないよう前記表示部を制御する表示制御部と、
を備えることを特徴とする表示装置。
【００６７】
［２］
前記表示装置に対する重力加速度方向を基準にして前記特定の範囲を規定するパラメータを算出するパラメータ算出部と、
をさらに備えることを特徴とする［１］に記載の表示装置。
【００６８】
［３］
前記表示装置に対する３軸方向の加速度を検出するセンサ部をさらに備え、
前記表示制御部は、前記センサ部により検出された加速度データに基づいて算出された前記重力加速度方向を基準にして、前記パラメータを用いて前記特定の範囲を設定することを特徴とする［２］に記載の表示装置。
【００６９】
［４］
前記表示制御部は、前記センサ部により検出された加速度データに基づいて、前記表示装置の回転の有無を検知し、前記表示装置の回転を検知した場合には、前記センサ部により検出された加速度データに基づいて加速度方向を再度算出し、算出された前記重力加速度方向を基準にして、前記パラメータを用いて前記特定の範囲を再度設定することを特徴とする［３］に記載の表示装置。
【００７０】
［５］
前記表示装置は、前記ユーザの人体に装着されるウェアラブル端末に搭載され、
前記センサ部は、前記ユーザの動作状態を検出するモーションセンサを有し、
前記表示制御部は、前記モーションセンサにより検出された前記ユーザの動作状態に基づいて、前記特定の範囲の設定、及び、前記表示領域における前記情報の表示、非表示を制御することを特徴とする［３］又は［４］に記載の表示装置。
【００７１】
［６］
前記表示制御部は、
前記位置検出部により検出された前記指定位置を、前記ユーザが目視しているユーザ目視方向とし、
前記特定の範囲は、前記表示領域のうち、前記指定位置に基づいてユーザが目視可能であると推定される範囲であることを特徴とする［１］乃至［５］のいずれか一項に記載の表示装置。
【００７２】
［７］
表示領域を有する表示部と、前記表示部に設けられた入力操作部と、を備えた表示装置の情報表示方法であって、
前記表示領域のうち、ユーザが前記入力操作部により指定した指定位置を検出し、
前記表示領域のうち、前記検出された前記指定位置を基準とした特定の範囲に情報を表示するよう前記表示部を制御するとともに、前記特定の範囲以外の前記表示領域に情報を表示しないよう前記表示部を制御する、
ことを特徴とする情報表示方法。
【００７３】
［８］
表示領域を有する表示部と、前記表示部に設けられた入力操作部と、を備えた表示装置の情報表示プログラムであって、
コンピュータに、
前記表示領域のうち、ユーザが前記入力操作部により指定した指定位置を検出させ、
前記表示領域のうち、前記検出された前記指定位置を基準とした特定の範囲に情報を表示するよう前記表示部を制御させるとともに、前記特定の範囲以外の前記表示領域に情報を表示しないよう前記表示部を制御させる、
ことを特徴とする情報表示プログラム。
【符号の説明】
【００７４】
１００      表示装置
１０２      機器ケース
１１０      表示部
１１１      表示パネル
１２０      入力操作部
１２１      タッチパネル
１３０      センサ部
１５０      制御部
１６０      メモリ部
ＵＳｈ      手首
【図１】
0006536881.tif 000003
【図２】
0006536881.tif 000004
【図３】
0006536881.tif 000005
【図４】
0006536881.tif 000006
【図５】
0006536881.tif 000007
【図６】
0006536881.tif 000008
【図７】
0006536881.tif 000009
【図８】
0006536881.tif 000010
【図９】
0006536881.tif 000011